(57)【特許請求の範囲】
【請求項１】
透明窓が設けられ、内部に収納した被処理体に対して処理ガスを用いた真空処理を施すための処理容器と、
前記透明窓の外方に配置され、前記透明窓を通して前記処理容器内の被処理体に対する光学的測定を行うための測定手段と
を備え、
前記処理容器内部に面した前記透明窓の内面側に、薄膜形成を抑制する複数のマイクロホールを形成すると共に、当該内面側におけるマイクロホール以外の部分を、予め薄膜形成によって曇らせてあることを特徴とする真空処理装置。
【請求項２】
前記マイクロホールは、その直径が０.５μｍ以下であり、且つその直径に対 する深さの比が５以上であることを特徴とする請求項１記載の真空処理装置。
【請求項３】
前記測定手段は、被処理体の温度を測定するための放射温度計であることを特徴とする請求項１又は２記載の真空処理装置。
【請求項４】
前記処理容器は、前記放射温度計の非測定時に、被処理体に代えて所定の反射率を有する反射体を内部に収納すると共に、
前記放射温度計は、
非測定時において前記反射体に対する照射光を発する発光手段と、
非測定時において前記発光手段から発せられた照射光に対する前記反射体の反射光の強度を検出し、測定時において被処理体からの熱放射量を検出するための検出手段と、
前記発光手段から発せられた照射光の強度、前記反射体の反射率、および前記検出手段の検出した反射光の強度に基づいて、前記透明窓の光透過率を算出する透過率演算手段と、
前記透過率演算手段の算出した光透過率を用いて、前記検出手段の検出した熱放射量を補正する検出値補正手段と、
前記検出値補正手段によって補正された熱放射量に基づいて、被処理体の温度を算出する温度演算手段と
を有することを特徴とする請求項３記載の真空処理装置。
【発明の詳細な説明】
【０００１】
【発明の属する技術分野】
本発明は、例えば半導体基板等の被処理体に対して、処理ガスを用いた薄膜形成やエッチング等の真空処理を行うための処理容器を備えた真空処理装置に係り、とりわけ、真空処理容器に設けられた透明窓を通して外部から被処理体に対する放射温度計による温度測定等の光学的測定を行うように構成された真空処理装置に関する。
【０００２】
【従来の技術】
図４には、本発明が適用される一般的な真空処理装置の概要が示されている。この真空処理装置は、例えば半導体基板等の被処理基板Ｓに対して、処理ガスを用いた薄膜形成やエッチング等の真空処理を行うためのものである。図４において、真空処理装置は、内部に収納した被処理基板Ｓに対して処理ガスを用いた上記真空処理を施すための処理容器１を備えている。
【０００３】
この処理容器１は、所定のガス供給手段（図示せず）から処理ガスが供給されると共に、所定の排気手段（図示せず）によって内部が処理に必要な真空度に保たれるように構成されている。
【０００４】
ここで、処理容器１の上部には、透明窓２が設けられている。この透明窓２の外方には、透明窓２を通して処理容器１内の被処理基板Ｓの温度測定を行うための放射温度計（測定手段）３が配置されている。この放射温度計３は、被測定物体からの熱放射量に基づいて当該物体の温度を測定する、光学的測定装置の一種である。
【０００５】
【発明が解決しようとする課題】
上述したような従来の真空処理装置には、以下のような問題点がある。すなわち、処理容器１内の被処理基板Ｓに対して、処理ガスを用いた薄膜形成やエッチング等の真空処理を行う際、処理容器１内部に面した透明窓２の内面側で、処理ガスの作用による薄膜形成が進行してしまう。
【０００６】
そして、このような薄膜形成の進行によって透明窓２の光透過率が徐々に低下することで、放射温度計３による透明窓２を通しての被処理基板Ｓの光学的温度測定の精度が低下し、ひいては測定が困難となる恐れもある。
【０００７】
特に、所定の薄膜形成処理等の状態を安定させるために、当該処理を行う前の空の処理容器１内に予め処理ガスを供給し、処理容器１内部に均一な薄膜を形成するプリコートプロセス等を行う場合は、初めから薄膜形成による透明窓２の光透過率低下が生じ、上記のような問題が一層深刻となる。
【０００８】
本発明は、このような点を考慮してなされたものであり、処理容器に設けられた透明窓を通しての、測定手段による被処理体に対する光学的測定の精度を高く保つことができるような真空処理装置を提供することを目的とする。
【０００９】
【課題を解決するための手段】
第１の手段は、透明窓が設けられ、内部に収納した被処理体に対して処理ガスを用いた真空処理を施すための処理容器と、前記透明窓の外方に配置され、前記透明窓を通して前記処理容器内の被処理体に対する光学的測定を行うための測定手段とを備え、前記処理容器内部に面した前記透明窓の内面側に、薄膜形成を抑制する複数のマイクロホールを形成すると共に、当該内面側におけるマイクロホール以外の部分を予め薄膜形成によって曇らせてあることを特徴とする真空処理装置である。
【００１０】
この第１の手段によれば、透明窓の内面側のマイクロホール形成部分において、処理ガスの作用による薄膜形成を抑制することができるので、当該薄膜形成による透明窓の光透過率低下が抑えられる。また、マイクロホール以外の部分を予め薄膜形成によって曇らせておくことで、真空処理をある程度行った際に透明窓を透過する光量の変化をより抑制することができる。その場合、透明窓の曇りによる透過光量の減少は、マイクロホールの開口率をある程度上げることによって抑制することができる。
【００１１】
第２の手段は、第１の手段において、前記マイクロホールを、その直径が０. ５μｍ以下であり、且つその直径に対する深さの比が５以上となるようにしたものである
この第２の手段によれば、第１の手段において、マイクロホールのマイクロローディング効果によって、特にマイクロホール底面での薄膜形成を効果的に抑制することができる。
【００１２】
第３の手段は、第１又は第２の手段において、前記測定手段を、被処理体の温度を測定するための放射温度計としたものである。
【００１３】
第４の手段は、第３の手段において、前記処理容器は、前記放射温度計の非測定時に、被処理体に代えて所定の反射率を有する反射体を内部に収納すると共に、前記放射温度計は、非測定時において前記反射体に対する照射光を発する発光手段と、非測定時において前記発光手段から発せられた照射光に対する前記反射体の反射光の強度を検出し、測定時において被処理体からの熱放射量を検出するための検出手段と、前記発光手段から発せられた照射光の強度、前記反射体の反射率、および前記検出手段の検出した反射光の強度に基づいて、前記透明窓の光透過率を算出する透過率演算手段と、前記透過率演算手段の算出した光透過率を用いて、前記検出手段の検出した熱放射量を補正する検出値補正手段と、前記検出値補正手段によって補正された熱放射量に基づいて、被処理体の温度を算出する温度演算手段とを有するものである。
【００１４】
この第４の手段においては、放射温度計の非測定時に、被処理体に代えて所定の反射率を有する反射体を処理容器内部に収納し、発光手段から発せられた光を透明窓を通して反射体に照射し、検出手段が反射体からの反射光の強度を検出する。そして、透過率演算手段が、発光手段から発せられた照射光の強度、反射体の反射率、および検出手段の検出した反射光の強度に基づいて透明窓の光透過率を算出する。
【００１５】
また、放射温度計の測定時には、検出手段が被処理体からの熱放射量を検出すると共に、検出値補正手段が、透過率演算手段の算出した光透過率を用いて、検出手段の検出した熱放射量を補正する。そして、検出値補正手段によって補正された熱放射量に基づいて、温度演算手段が被処理体の温度を算出する。
【００１６】
すなわち、上記第１又は第２の手段によっても薄膜形成による透明窓の光透過率低下を完全に防止することは困難であるため、第４の手段によって透明窓の光透過率低下を考慮した温度測定を行うことで、被処理体の温度測定の精度をより一層高く保つことが可能となる。
【００１７】
【発明の実施の形態】
次に、図面を参照して本発明の一実施形態について説明する。図１乃至図３は本発明による真空処理装置の実施の形態を示す図である。なお、図１乃至図３に示す本発明の実施の形態において、図４に示す一般的な真空処理装置と同一の構成部分には同一符号を付すと共に、適宜、図４を参照して説明する。
【００１８】
なお、本明細書において「透明」、「光学的」および「光透過率」という場合は、可視光線以外の赤外線等の電磁波（透明窓２を透過しうるもの）およびその透過も対象に含む趣旨である。
【００１９】
本実施形態の真空処理装置は、例えば半導体基板や液晶表示基板等の被処理基板（被処理体）Ｓに対して、処理ガスを用いた薄膜形成やエッチング等の真空処理を行うためのものである。このような真空処理としては、例えば、ＳiＨ4を主体とする処理ガスを用いたプラズマＣＶＤによって、シリコン基板上にポリシリコン薄膜を形成する処理等が挙げられる。
【００２０】
図４において、真空処理装置は、内部に収納した被処理基板Ｓに対して処理ガスを用いた上記真空処理を施すための処理容器１を備えている。この処理容器１は、所定のガス供給手段（図示せず）から処理ガスが供給されると共に、所定の排気手段（図示せず）によって内部が処理に必要な真空度に保たれるように構成されている。
【００２１】
ここで、処理容器１の上部壁面に、例えば石英ガラス製の円盤状透明窓２が設けられている。この透明窓２の外方には、透明窓２を通して処理容器１内の被処理基板Ｓの温度測定を行うための放射温度計（測定手段）３が配置されている。この放射温度計３は、被測定物体から放射される熱放射（通常は赤外線）の量（エネルギー）に基づいて当該物体の温度を測定する、光学的測定装置の一種である。
【００２２】
次に、図１（ａ）に示すように、処理容器１の外壁面には透明窓２を装着するための円筒形凹部１４が形成されている。また、凹部１４の底部から処理容器１の内面１０までを貫通して、凹部１４と同心円状の内側窓開口１２（図１（ｂ）参照）が形成されている。また、凹部１４の底面と透明窓２の内面２０との間には、内側窓開口１２の外周に沿ってリング状のシール材１６が装着され、処理容器１の気密性を保つようになっている。
【００２３】
そして、本実施形態の真空処理装置は、図１に示すように、処理容器１内部に面した透明窓２の内面２０側に、薄膜形成を抑制する複数のマイクロホール２２が形成されている。これらのマイクロホール２２が（処理容器１の内側窓開口１２に対応した範囲において）透明窓２の内面２０に対して占める面積の割合（開口率）は、薄膜形成の抑制効果の観点からは大きいほど好ましいが、工作技術上の制約を考慮して、例えば５０％程度に設定される。
【００２４】
このマイクロホール２２の縦断面形状が、図２に拡大して示されている。各マイクロホール２２は、円筒形をなすと共に、その直径Ｄが０.５μｍ以下であり 、且つその直径Ｄに対する深さＨの比（アスペクト比）が５以上となるように寸法設定されている。半導体製造工程において、このような寸法のホールの底部には、エッチングや成膜等の処理が充分に行われないということが従来知られており、これをマイクロローディング効果という。従って、マイクロホール２２の寸法をそのように設定することで、このマイクロローディング効果によって、特にマイクロホール２２底面での薄膜形成が効果的に抑制される。
【００２５】
なお、透明窓２のマイクロホール２２以外の部分を、予め薄膜形成によって曇らせ、それによる透過光量の減少を、開口率をある程度上げることにより抑制すれば、真空処理をある程度行った際に透明窓２を透過する光量の変化をより抑制することができる。
【００２６】
次に、図３を参照して、本実施形態における放射温度計３の構成について説明する。図３において、放射温度計３は、発光手段３２、検出手段３３および導光手段３０を有している。このうち、発光手段３２は、放射温度計３の非測定時（補正時）において、後述する反射体に対する照射光を発するためのものである。また、検出手段３３は、同じく非測定時において発光手段３２から発せられた照射光に対する反射体の反射光の強度を検出すると共に、放射温度計３の測定時において被処理基板Ｓからの熱放射量を検出するためのものである。
【００２７】
また、導光手段３０は、例えば光ファイバー束よりなり、発光手段３２から発せられた上記照射光を透明窓２の外側まで導き、透明窓２を通して処理容器１内へ送り込む機能を有している。また、導光手段３０は、当該照射光に対する反射体の反射光と、被処理基板Ｓからの熱放射（通常は赤外線）を透明窓２の外側で受け、これらを検出手段３３まで導く機能を有している。
【００２８】
次に、この放射温度計３は、透過率演算手段３５、検出値補正手段３６および温度演算手段３８を有している。このうち、透過率演算手段３５は、発光手段３２から発せられた照射光の強度、反射体の反射率、および検出手段３３の検出した反射光の強度に基づいて、透明窓２の光透過率を算出するように構成されている。
【００２９】
また、検出値補正手段３６は、透過率演算手段３５の算出した光透過率を用いて、検出手段３３の検出した熱放射量を補正するように構成されている。具体的には、透過率演算手段３５の算出した透明窓２の光透過率をγ、検出手段３３の検出した被処理基板Ｓの熱放射量（エネルギー）をＥとすると、補正後の熱放射量Ｅ’はＥ’＝Ｅ/γとなる。例えば、光透過率がγ＝０.８０（８０％）であった場合は、補正後の熱放射量はＥ’＝Ｅ/γ＝Ｅ/０.８０＝１.２５×Ｅとなる。
【００３０】
そして、温度演算手段３８は、検出値補正手段３６によって補正された熱放射量Ｅ’に基づいて、被処理基板Ｓの温度を算出するように構成されている。具体的には、被処理基板Ｓの反射率ρおよび透過率τで規定される放射率ε（＝１−ρ−τ）を考慮して、ステファン・ボルツマンの式：Ｅ＝σ・Ｔ4（σはステフ ァン・ボルツマン定数）に基づいて被処理基板Ｓの温度Ｔ（Ｋ）が算出される。
【００３１】
次に、このように構成された放射温度計３による温度測定の手順を、整理して説明する。まず、放射温度計３の非測定時（補正時）に、被処理基板Ｓに代えて既知の反射率を有する反射体を処理容器１内部に収納し、発光手段３２から発せられた光を透明窓２を通して反射体に照射し、検出手段３３が反射体からの反射光の強度を検出する。そして、透過率演算手段３５が、発光手段３２から発せられた照射光の強度、反射体の反射率、および検出手段３３の検出した反射光の強度に基づいて、透明窓の光透過率γを算出する。
【００３２】
そして、放射温度計３の測定時には、検出手段３３が被処理基板Ｓからの熱放射量Ｅを検出すると共に、検出値補正手段３６が、透過率演算手段３５の算出した光透過率γを用いて、検出手段３３の検出した熱放射量Ｅを補正する。そして、検出値補正手段３６によって補正された熱放射量Ｅ’に基づいて、温度演算手段３８が被処理基板Ｓの温度Ｔを算出する。
【００３３】
実際に複数の被処理基板（例えば半導体基板）Ｓの連続的な処理を行う場合には、処理容器１内に順次送り込まれる被処理基板Ｓの合間に一定間隔で反射体（例えば鏡面基板）が入るようにしておく。そして、処理容器１内に、被処理基板Ｓに代えて反射体が送り込まれた時を上記非測定時（補正時）として、上記のような温度測定の手順がとられる。
【００３４】
次に、このような構成よりなる本実施形態の作用効果について説明する。本実施形態によれば、透明窓２の内面２０側のマイクロホール２２形成部分において、処理ガスの作用による薄膜形成を抑制することができるので、当該薄膜形成による透明窓２の光透過率低下が抑えられる。このため、透明窓２を通しての、放射温度計３による被処理基板Ｓに対する光学的温度測定の精度を高く保つことができる。
【００３５】
また、上記のような透明窓２に対するマイクロホール２２の形成によっても、薄膜形成による透明窓２の光透過率低下を完全に防止することは困難であるが、上述した構成の放射温度計３によって、透明窓２の光透過率低下を考慮した温度測定を行うことで、被処理基板Ｓの温度測定の精度をより一層高く保つことが可能となる。
【００３６】
なお、上記放射温度計３に代えて、例えば反射光を利用して被処理基板Ｓに対する薄膜の厚さやエッチングの深さを測定する手段等の、他の光学的測定手段を用いてもよく、その場合も、上述したマイクロホール２２による透明窓２の光透過率の低下抑制作用を利用して、測定精度を高く保つ効果を得ることができる。
【００３７】
また、処理容器１の壁面部分に透明窓２が設けられている場合について説明したが、それ以外の、例えば処理容器１内へのガス供給部分（例えばシャワーヘッド）等に透明窓が設けられていてもよい。
【００３８】
また、本発明は、計測装置を用いた光学的測定だけでなく、透明窓２を通した視覚による観察などにも応用できることはもちろんである。
【００３９】
【発明の効果】
本発明によれば、透明窓の内面側のマイクロホール形成部分において、処理ガスの作用による薄膜形成を抑制することができるので、当該薄膜形成による透明窓の光透過率低下が抑えられる。このため、透明窓を通しての、測定手段による被処理体に対する光学的測定の精度を高く保つことができる。また、マイクロホール以外の部分を予め薄膜形成によって曇らせておくことで、真空処理をある程度行った際に透明窓を透過する光量の変化をより抑制することができる。その場合、透明窓の曇りによる透過光量の減少は、マイクロホールの開口率をある程度上げることによって抑制することができる。
【図面の簡単な説明】
【図１】本発明による真空処理装置の一実施形態を示す図であって、（ａ）は要部縦断面図、（ｂ）は（ａ）の底面図。
【図２】図１に示す真空処理装置における透明窓のマイクロホールを拡大して示す縦断面図。
【図３】図１に示す真空処理装置における放射温度計の構成を示すブロック図。
【図４】本発明が適用される一般的な真空処理装置の概要を示す縦断面図。
【符号の説明】
Ｓ  被処理基板（被処理体）
１  処理容器
１０  処理容器内面
２  透明窓
２０  透明窓内面
２２  マイクロホール
Ｄ  マイクロホールの直径
Ｈ  マイクロホールの深さ
３  放射温度計（測定手段）
３０  導光路
３２  発光手段
３３  検出手段
３５  透過率演算手段
３６  検出値補正手段
３８  温度演算手段
【図１】
0003923212.tif 000002
【図２】
0003923212.tif 000003
【図３】
0003923212.tif 000004
【図４】
0003923212.tif 000005